(57)【要約】【課題】光源温度の偏りを抑えて、長期に渡って均一な表示を維持することができる表示装置、ディスプレイパネルユニット、および情報処理装置を提供する。【解決手段】情報が表示される表示面と、表示面を後側から照らすための光を発する光源が内蔵されて発光に伴い線状に発熱する発光部とを有するディスプレイパネルユニットと、ディスプレイパネルユニットの発光部から発せられた熱が伝えられてその熱を放熱する放熱体と、発光部が発する熱を放熱体に伝達する、発光部における線状の発熱箇所の央部と端部とでは央部の方が熱の伝達性が良好な伝熱部とを備えた。【選択図】        図１２
2008152109.tif 000002
【特許請求の範囲】
【請求項１】
情報が表示される表示面と、該表示面を後側から照らすための光を発する光源が内蔵されて発光に伴い線状に発熱する発光部とを有するディスプレイパネルユニットと、
前記ディスプレイパネルユニットの発光部から発せられた熱が伝えられてその熱を放熱する放熱体と、
前記発光部が発する熱を前記放熱体に伝達する、該発光部における線状の発熱箇所の央部と端部とでは央部の方が熱の伝達性が良好な伝熱部とを備えたことを特徴とする表示装置。
【請求項２】
前記放熱体が、この表示装置の筐体を兼ねたものであることを特徴とする請求項１記載の表示装置。
【請求項３】
前記光源が発光ダイオードであることを特徴とする請求項１記載の表示装置。
【請求項４】
前記放熱体が、第１の材料からなる第１の領域と、熱伝導率が該第１の材料よりも良好な第２の材料からなる第２の領域とを有し、それら第１の領域と第２の領域との境界線が第１の領域側に凸となったものであり、
前記伝熱部が、前記発光部における線状の発熱箇所に沿って延びて該発光部に接触した部材であって、前記放熱体に、前記境界線が前記第１の領域側に凸となっている部分で、その部材の央部と端部とでは央部の方が前記第２の領域により多く接するように接触したものであることを特徴とする請求項１記載の表示装置。
【請求項５】
前記伝熱部が、前記発光部における線状の発熱箇所に沿って延びて該発光部と前記放熱体との双方に接触した、その延びた端に向かうにつれて順次に細くなった部材であることを特徴とする請求項１記載の表示装置。
【請求項６】
情報が表示される表示面と、該表示面を裏側から照らすための光を発する光源が内蔵されて発光に伴い線状に発熱する発光部とを有するパネル本体と、
前記パネル本体の発光部から発せられた熱が伝えられてその熱を放熱する、該発光部における線状の発熱箇所に沿って延びた、その延びた端と中央とでは中央の方が放熱面積が広い放熱板とを備えたことを特徴とするディスプレイパネルユニット。
【請求項７】
前記放熱板が、中央から端に向かうにつれて順次に幅が狭まったものであることを特徴とする請求項６記載のディスプレイパネルユニット。
【請求項８】
前記光源が発光ダイオードであることを特徴とする請求項６記載のディスプレイパネルユニット。
【請求項９】
情報が表示される表示面と、該表示面を後側から照らすための光を発する光源が内蔵されて発光に伴い線状に発熱する発光部とを有するディスプレイパネルユニットと、
前記ディスプレイパネルユニットの発光部から発せられた熱が伝えられてその熱を放熱する放熱体と、
前記発光部が発する熱を前記放熱体に伝達する、該発光部における線状の発熱箇所の央部と端部とでは央部の方が熱の伝達性が良好な伝熱部とを備えた表示部；および
情報処理を行い、処理した情報を、前記表示部が備えたディスプレイパネルユニットの表示面に表示させる処理部を備えたことを特徴とする情報処理装置。
【請求項１０】
情報が表示される表示面と、該表示面を裏側から照らすための光を発する光源が内蔵されて発光に伴い線状に発熱する発光部とを有するパネル本体と、前記パネル本体の発光部から発せられた熱が伝えられてその熱を放熱する、該発光部における線状の発熱箇所に沿って延びた、その延びた端と中央とでは中央の方が放熱面積が広い放熱板とを備えたディスプレイパネルユニットを内蔵した表示部；および
情報処理を行い、処理した情報を、前記表示部が内蔵したディスプレイパネルユニットの表示面に表示させる処理部を備えたことを特徴とする情報処理装置。
【発明の詳細な説明】
【技術分野】
【０００１】
本発明は、情報を表示する表示装置、ディスプレイパネルユニット、および情報処理を行って得られた情報を表示する情報処理装置に関する。
【背景技術】
【０００２】
従来から、パーソナルコンピュータ等の分野において、情報を表示する薄型の表示画面である液晶パネルが広く適用されている。それらの中でも、装置の薄型化が特に強く要求されているラップトップ型のパーソナルコンピュータや携帯電話などでは、液晶パネルに裏面側から光を照射するバックライト型の表示装置が広く利用されている。
【０００３】
バックライト型の表示装置は、ライン状に延びる光源が液晶パネルの側面側に配置されるとともに、液晶パネルの裏面に導光板が貼り付けられており、光源から発せられた光が導光板によって液晶パネルに導かれ、さらに導光板によって拡散されて液晶パネルの裏面側から照射される。このようなバックライト型の表示装置によると、光源や、光源を駆動する駆動基板などが比較的スペースにゆとりがある液晶パネルの脇に配置されるため、表示装置の厚みを軽減することができる。
【０００４】
また、従来、バックライト型の表示装置には、光源としてＣＦＬ管（冷陰極蛍光管）が用いられていたが、ＣＦＬ管は発光のために水銀が利用されているため、環境保護の観点から、ＣＦＬ管に代わって水銀を用いないＬＥＤ（発光ダイオード）光源が広く利用されてきている。ＬＥＤ光源は、環境面においてＣＦＬ管よりも優れており、安価であるという利点があるが、発光量に対して発熱量が大きく、さらに、熱によって寿命や発光効率が大きく低減してしまうという問題がある。
【０００５】
この点に関し、バックライト型の表示装置に、ＬＥＤ光源で発生した熱を放熱する放熱フィンを設けたり（例えば、特許文献１参照）、ＬＥＤ光源に熱を放熱するための放熱板を貼り付けたり（例えば、特許文献２および特許文献３参照）、ＬＥＤ光源で発生した熱を受け取って、その熱を筐体や放熱板などに伝達する熱伝達板を設ける（例えば、特許文献４参照）ことなどが行われている。これらの技術を適用することによって、ＬＥＤ光源で発生した熱による表示装置内の温度上昇を抑え、ＬＥＤ光源の劣化を軽減することができる。
【特許文献１】特開２００６−２６７９３６号公報
【特許文献２】特開２００６−２６８０６６号公報
【特許文献３】特開２００５−１３５８６２号公報
【特許文献４】特開２００６−２９３１８２号公報
【発明の開示】
【発明が解決しようとする課題】
【０００６】
ところで、ＬＥＤ光源が適用されたバックライト型の表示装置では、複数のＬＥＤが液晶パネルの側面に沿ってライン状に並べて配置されていることが一般的であるが、各ＬＥＤは配置位置に応じて熱の流れ方などが異なるため、複数のＬＥＤそれぞれの周辺温度には偏りが生じる。このため、上述した特許文献１、特許文献２、特許文献３、および特許文献４に記載された技術を適用して、複数のＬＥＤから発せられた熱を放熱しても、それら複数のＬＥＤの劣化度合いに偏りが生じてしまい、液晶パネルの表示画面の明るさが不均一になってしまうという問題がある。
【０００７】
また、このような問題は、液晶パネルを適用した表示装置にのみ生じる問題ではなく、バックライト型の表示装置に一般的に生じる問題である。
【０００８】
本発明は、上記事情に鑑み、光源温度の偏りを抑えて、長期に渡って均一な表示を維持することができる表示装置、ディスプレイパネルユニット、および情報処理装置を提供することを目的とする。
【課題を解決するための手段】
【０００９】
上記目的を達成する本発明の表示装置は、情報が表示される表示面と、表示面を後側から照らすための光を発する光源が内蔵されて発光に伴い線状に発熱する発光部とを有するディスプレイパネルユニットと、
ディスプレイパネルユニットの発光部から発せられた熱が伝えられてその熱を放熱する放熱体と、
発光部が発する熱を放熱体に伝達する、発光部における線状の発熱箇所の央部と端部とでは央部の方が熱の伝達性が良好な伝熱部とを備えたことを特徴とする。
【００１０】
情報が表示される表示面を後側から照射するバックライト型の表示装置では、表示面の脇から線状に光が発光されることが一般的であり、その発光に伴って線状に発熱した発熱箇所の央部ほど熱がたまりやすく、温度が上昇しやすいという特性がある。本発明の表示装置によると、伝熱部によって、発光部における線状の発熱箇所の央部の方が端部よりも良好に熱が伝達されるため、熱がたまりやすい央部の熱が効率よく放熱される。したがって、発光部における線状の発熱箇所の温度の偏りが抑えられ、長期に渡って均一な表示を維持することができる。
【００１１】
また、本発明の表示装置において、上記放熱体が、この表示装置の筐体を兼ねたものであることが好ましい。
【００１２】
表示装置の筐体と放熱体とが兼用されることによって、発光部で発生した熱を放熱させる放熱シートなどを新たに設ける必要がなく、表示装置の大型化やコストの上昇を抑えることができる。
【００１３】
また、本発明の表示装置において、上記光源が発光ダイオードであることが好ましい。
【００１４】
発光ダイオード（ＬＥＤ）は、発光量に対して発熱量が多く、さらに熱によって劣化しやすいという特性があり、本発明の表示装置に適用されることによって、大きな効果を得ることができる。
【００１５】
また、本発明の表示装置において、上記放熱体が、第１の材料からなる第１の領域と、熱伝導率が第１の材料よりも良好な第２の材料からなる第２の領域とを有し、それら第１の領域と第２の領域との境界線が第１の領域側に凸となったものであり、
上記伝熱部が、発光部における線状の発熱箇所に沿って延びて発光部に接触した部材であって、放熱体に、境界線が前記第１の領域側に凸となっている部分で、その部材の央部と端部とでは央部の方が第２の領域により多く接するように接触したものであることが好適である。
【００１６】
本発明の好適な表示装置によると、熱伝導率が相互に異なる第１の材料と第２の材料とを用いて放熱体を形成し、その放熱体に伝熱部を接触させるだけで、発光部における線状の発熱箇所を央部ほど良好に放熱させることができ、装置の複雑化や部品の増加を回避して、装置の寿命を向上させることができる。
【００１７】
また、本発明の表示装置において、上記伝熱部が、発光部における線状の発熱箇所に沿って延びて発光部と放熱体との双方に接触した、その延びた端に向かうにつれて順次に細くなった部材であることも好ましい。
【００１８】
発光部の熱を放熱体に伝達する伝達部の幅を、発光部における線状の発熱箇所の端ほど細く央部ほど広くすることによっても、その発熱箇所の温度のばらつきを抑えることができる。
【００１９】
また、上記目的を達成する本発明のディスプレイパネルユニットは、情報が表示される表示面と、表示面を裏側から照らすための光を発する光源が内蔵されて発光に伴い線状に発熱する発光部とを有するパネル本体と、
パネル本体の発光部から発せられた熱が伝えられてその熱を放熱する、発光部における線状の発熱箇所に沿って延びた、その延びた端と中央とでは中央の方が放熱面積が広い放熱板とを備えたことを特徴とする。
【００２０】
本発明のディスプレイパネルユニットによると、発光部における線状の発熱箇所に沿って延びた放熱板が、熱がたまりやすい発熱箇所の中央の方が端よりも放熱面積が広く形成されているため、その発熱箇所の温度の偏りを抑えて、長期に渡って均一な表示を維持することができる。
【００２１】
また、本発明のディスプレイパネルユニットにおいて、上記放熱板が、中央から端に向かうにつれて順次に幅が狭まったものであることが好適である。
【００２２】
本発明の好適なディスプレイパネルユニットによると、発光部における線状の発熱箇所が、熱がたまりやすい中央ほど大きく、端ほど小さく放熱されるため、その発熱箇所の温度を精度良く均一にすることができる。
【００２３】
また、本発明のディスプレイパネルユニットにおいて、上記光源が発光ダイオードであることが好ましい。
【００２４】
発光ダイオードは、熱によって劣化しやすいという特性があるため、本発明のディスプレイパネルユニットに適用されることによって、大きな効果を得ることができる。
【００２５】
また、上記目的を達成する本発明の第１の情報処理装置は、情報が表示される表示面と、表示面を後側から照らすための光を発する光源が内蔵されて発光に伴い線状に発熱する発光部とを有するディスプレイパネルユニットと、
ディスプレイパネルユニットの発光部から発せられた熱が伝えられてその熱を放熱する放熱体と、
発光部が発する熱を放熱体に伝達する、発光部における線状の発熱箇所の央部と端部とでは央部の方が熱の伝達性が良好な伝熱部とを備えた表示部；および
情報処理を行い、処理した情報を、表示部が備えたディスプレイパネルユニットの表示面に表示させる処理部を備えたことを特徴とする。
【００２６】
また、上記目的を達成する本発明の第２の情報処理装置は、情報が表示される表示面と、表示面を裏側から照らすための光を発する光源が内蔵されて発光に伴い線状に発熱する発光部とを有するパネル本体と、パネル本体の発光部から発せられた熱が伝えられてその熱を放熱する、発光部における線状の発熱箇所に沿って延びた、その延びた端と中央とでは中央の方が放熱面積が広い放熱板とを備えたディスプレイパネルユニットを内蔵した表示部；および
情報処理を行い、処理した情報を、前記表示部が内蔵したディスプレイパネルユニットの表示面に表示させる処理部を備えたことを特徴とする。
【００２７】
本発明の第１の情報処理装置および第２の情報処理装置によると、発光部における線状の発熱箇所の温度の偏りを抑えることができ、長期に渡って表示面に光を均一に照射することができる。
【発明の効果】
【００２８】
本発明によれば、光源の温度の部分的な偏りを抑え、バックライト方式の表示画面に、長期に渡って光を均一に照射することができる。
【発明を実施するための最良の形態】
【００２９】
以下、図面を参照して本発明の実施の形態を説明する。
【００３０】
図１は、本発明の一実施形態が適用されたパーソナルコンピュータの外観斜視図である。
【００３１】
パーソナルコンピュータ１０は、外観構成上、本体装置１１、その本体装置１１からの指示に応じて表示面１２Ｂ上に各種情報を表示する表示装置１２、本体装置１１に、キー操作に応じた各種の情報を入力するキーボード１３、および、表示画面上の任意の位置を指定することにより、その位置に表示されたアイコン等に応じた指示を入力するマウス１４を備えており、図示しないが、フレキシブルディスク（以下では、ＦＤと省略する）を装填するためのＦＤ装填口や、ＣＤ−ＲＯＭを装填するためのＣＤ−ＲＯＭ装填口が設けられている。表示面１２Ｂは、本発明にいう表示面の一例に相当する。
【００３２】
また、パーソナルコンピュータ１０は、表示装置１２と本体装置１１とがヒンジ１０Ａを軸に折り畳み自在に連結されている。さらに、表示装置１２は、表示面１２Ｂの側方における筐体１２Ａの幅Ｗが小さく形成されており、装置の小型化が図られている。表示装置１２は、本発明にいう表示部の一例にあたるとともに、本発明の表示装置の一実施形態にも相当する。また、本体装置１１は、本発明にいう処理部の一例に相当する。
【００３３】
表示装置１２の、筐体１２Ａ内の構成については、後で詳しく説明する。
【００３４】
図２は、パーソナルコンピュータ１０のハードウエア構成図である。
【００３５】
本体装置１１の内部には、図２に示すように、パーソナルコンピュータ１０全体を制御するＣＰＵ２１、ハードディスク装置２３に格納されたプログラムが読み出されＣＰＵ２１での実行のために展開される主メモリ２２、各種プログラムやデータ等が保存されたハードディスク装置２３、ＦＤ３０が装填され、その装填されたＦＤ３０をアクセスするＦＤドライブ２４、ＣＤ−ＲＯＭ４０をアクセスするＣＤ−ＲＯＭドライブ２５、各種装置と接続されて各種データを受け取る入力インタフェース２６、プリンタなどと接続されて各種データを送る出力インタフェース２７が内蔵されており、これらの各種要素と、さらに図１にも示す表示装置１２、キーボード１３、およびマウス１４は、バス１５を介して相互に接続されている。
【００３６】
パーソナルコンピュータ１０は、基本的には以上のように構成されている。
【００３７】
続いて、表示装置１２の内部構成について詳しく説明する。尚、以下では、図１に示す表示装置１２のうち、情報が表示される表示面１２Ａ側を「表」、表示面１２Ａの裏側を「裏」と称して説明する。
【００３８】
図３（Ａ），図３（Ｂ），図３（Ｃ），図４（Ａ），図４（Ｂ），図４（Ｃ）は、表示装置１２を構成する主要な構成部品を示す図であり、図３（Ａ）と図４（Ａ）には、表面カバー１００が示されており、図３（Ｂ）と図４（Ｂ）には、表示パネルユニット２００が示されており、図３（Ｃ）と図４（Ｃ）には、裏面カバー３００が示されている。また、図３（Ａ），図３（Ｂ），図３（Ｃ）には、各部品の「表」側が示され、図４（Ａ），図４（Ｂ），図４（Ｃ）には、各部品の「裏」側が示されている。以下の説明では、これらの部品図と図１とを適宜に参照する。
【００３９】
表示装置１２は、２枚のカバーで構成された筐体１２Ａ内に表示パネルユニット２００が収容された構造となっている。筐体１２Ａは、表示パネルユニット２００の表示面１２Ａ側の縁を覆う表面カバー１００と、表示パネルユニット２００の裏面側を覆う裏面カバー３００とで構成されており、それら表面カバー１００と裏面カバー３００とが、表示パネルユニット２００の側方で互いに嵌合される。表示パネルユニット２００は、本発明にいうディスプレイパネルユニットの一例に相当する。
【００４０】
図３（Ａ）には、表面カバー１００の「表」側が示されている。
【００４１】
表面カバー１００は、表示パネルユニット２００の縁を覆う縁カバー部１１０と、図１に示すヒンジ１０Ａが取り付けられるヒンジ連結部１３０と、本体装置１１と表示装置１２とを接続する各種接続線などを隠蔽するための配線カバー部１４０とで構成されている。縁カバー部１１０は、表示パネルユニット２００の表示面１２Ａと対向する部分に開口１２０が設けられている。
【００４２】
図３（Ｂ）には、表示パネルユニット２００の「表」側が示されている。
【００４３】
表示パネルユニット２００は、２枚の板の間に液晶が封入された液晶層や、液晶層に光を導く導光板や、光の反射を抑える反射防止シートなどが重ねられ、下縁に複数のＬＥＤ光源２０１が線状に並べて嵌め込まれたパネル本体２１０と、表示パネルユニット２００全体を制御する制御基板２２０（図４（Ｂ）参照）などで構成されている。ＬＥＤ光源２０１から発せられた光は、パネル本体２１０に備えられた導光板によって液晶層に導かれ、表示面１２Ａを後側から照射する。ＬＥＤ光源２０１は、発熱しやすいうえに熱によって劣化しやすいという特性がある。本実施形態では、複数のＬＥＤ光源２０１が線状に並べられているため、ＬＥＤ光源２０１が嵌め込まれた付近の線状領域Ｐは温度が上昇しやすく、特に領域Ｐのうちの中央領域Ｐ´は熱がたまりやすい。
【００４４】
図３（Ｃ）には、裏面カバー３００の「表」側が示されている。
【００４５】
裏面カバー３００は、表示パネルユニット２００の裏面を覆う裏面カバー部３００Ａと、ヒンジ１０Ａが取り付けられるヒンジ連結部３１０とで構成されており、裏面カバー部３００Ａの、表示パネルユニット２００の側面を覆う部分に、複数の貫通孔３０１が設けられている。
【００４６】
図４（Ａ）には、表面カバー１００の「裏」側が示されている。
【００４７】
表面カバー１００の縁カバー部１１０には、表示パネルユニット２００の側面を覆う部分に複数の突起１０１が設けられており、これらの突起１０１が裏面カバー部３００Ａに設けられた複数の貫通孔３０１それぞれに嵌め込まれることによって、裏面カバー３００と表面カバー１００とが、後で分離可能な状態で連結される。
【００４８】
図４（Ｂ）には、表示パネルユニット２００の「裏」側が示されている。
【００４９】
パネル本体２１０の裏面には、ＬＥＤ光源２０１によって発熱する領域Ｐ上に、熱を放熱する放熱板２３０が貼り付けられており、さらに、表示パネルユニット２００全体を制御する制御基板２２０が折り重ねられている。本実施形態においては、パネル本体２１０の幅Ｗ２よりも制御基板２２０の幅Ｗ１が短いため、制御基板２２０の脇には段差が形成されている。
【００５０】
図４（Ｃ）には、裏面カバー３００の「裏」側が示されている。
【００５１】
裏面カバー３００にも、表面カバー１００の配線カバー部１４０と嵌り合って、各種接続線を表示パネルユニット２００の裏面側から隠蔽するための配線カバー部３２０が設けられている。
【００５２】
表示装置１２を組み立てるに当たっては、まず、表面カバー１００の開口１２０に表示パネルユニット２００の表示面１２Ｂが嵌るように、表示パネルユニット２００が表面カバー１００に収容される。
【００５３】
続いて、表面カバー１００の上部にあいた、表面カバー１００と表示パネルユニット２００との間の隙間に、アンテナ４００（図５参照）が配置される。
【００５４】
図５は、表示パネルユニット２００とアンテナ４００が配置された表面カバー１００内の状態を示す図である。
【００５５】
図５に示すように、表示パネルユニット２００は、上方に隙間をあけて表面カバー１００に収容されており、その隙間にアンテナ４００が配置されている。本実施形態においては、制御基板２２０の幅Ｗ１がパネル本体２１０の幅Ｗ２よりも狭いため、制御基板２２０の脇には段差が形成されており、アンテナ４００から延びる信号線４１０は、その段差を通って配線カバー１４０まで配線されている。
【００５６】
また、図３（Ｂ）でも説明したように、パネル本体２１０の、ＬＥＤ光源２０１が嵌め込まれた線状領域Ｐのうち中央領域Ｐ´は特に温度が高くなりやすいという特性がある。
【００５７】
図６は、制御基板２２０を取り外した表示パネルユニット２００を示す図である。
【００５８】
図６に示すように、放熱板２３０は、線状領域Ｐに沿って延びており、その線状領域Ｐのうち中央領域Ｐ´ほど幅が広く、線状領域Ｐの端に向かうほど幅が狭くなっている。このため、熱がたまりやすい中央領域Ｐ´ほど効率よく放熱され、線状領域Ｐにおける温度の偏りを抑えて、複数のＬＥＤ光源２０１全体の寿命を向上させることができる。
【００５９】
以上のように、表面カバー１００に表示パネルユニット２００とアンテナ４００が収容されると、続いて、裏面カバー３００の貫通孔３０１に表面カバー１００の突起１０１が嵌め込まれ、筐体１２Ａが組み立てられる。
【００６０】
図７は、表示装置１２を放熱板２３０が延びる方向に沿って切断したときの断面図であり、図８は、従来の表示装置を放熱板が延びる方向に沿って切断したときの断面図である。
【００６１】
図７に示すように、本実施形態の表示装置１２では、裏面カバー３００は、貫通孔３０１を境に表面側の壁の厚さｄ１が、貫通孔３０１を境に裏面側の壁の厚さｄ２よりも薄く形成されており、さらに、表面カバー１００は、突起１０１を境に表面側の壁の厚さｄ３が、裏面カバー３００の壁の厚さの差分（ｄ１−ｄ２）にほぼ等しく形成されている。このため、表面カバー１００と裏面カバー３００とが連結されると、筐体１２Ａの外面が滑らかに繋がる。また、表面カバー１００の突起１０１は、裏面カバー３００の側面に押されて筐体１２Ａの外側にたわみながら、裏面カバー３００の貫通孔３０１に嵌り、さらに、補助突起３０２が裏面カバー３００に嵌め込まれて、表面カバー１００と裏面カバー３００とが固定される。
【００６２】
図８に示すように、従来の表示装置１２´では、表面カバー１００´と裏面カバー３００´それぞれに設けられた爪１０１´，３０１´が、筐体１２Ａ´の内側で噛み合うため、それらの爪１０１´，３０１´のたわみ分として、筐体１２Ａ´と表示パネルユニット２００との間に隙間を用意しておく必要がある。図７に示す本実施形態の表示装置１２では、突起１０１は外側にたわむために筐体１２Ａと表示パネルユニット２００との隙間を軽減することができ、表示装置１２を小型化することができる。
【００６３】
また、図８に示すように、従来は、制御基板２２０´の幅とパネル本体２１０´の幅とがほぼ同じであるため、表示パネルユニット２００´と筐体１２Ａ´との間に、アンテナ４００（図５参照）から延びる信号線４１０´を通すための隙間を用意しておく必要があった。図７に示す本実施形態の表示装置１２では、信号線４１０が制御基板２２０の脇にあいたスペースを通って配線されるため、表示装置の幅を短縮することができる。
【００６４】
以上のように、本実施形態の表示装置１２によると、筐体と表示パネルユニット２００との間の隙間を減少させることができ、表示面１２Ａを減少させずに表示装置１２を小型化することができる。
【００６５】
また、熱に弱いＬＥＤ光源付近の温度のむらを抑えて効率よく放熱することができ、表示装置１２の寿命を向上させることができる。
【００６６】
以上で、本発明の第１実施形態の説明を終了し、本発明の第２実施形態について説明する。本発明の第１実施形態と第２実施形態とでは、表示パネルユニットと裏面カバーの構成が第１実施形態とは異なるが、それ以外は第１実施形態とほぼ同一の構成を有しているため、同じ要素については同じ符号を付して説明を省略し、第１実施形態との相違点についてのみ説明する。
【００６７】
図９は、本実施形態の表示パネルユニット５００の表面を示す図である。
【００６８】
図９に示す本実施形態の表示パネルユニット５００は、図３（Ｂ）に示す第１実施形態の表示パネルユニット５００と同様に、パネル本体２１０と、制御基板２２０とが備えられ、パネル本体２１０に複数のＬＥＤ光源２０１が嵌め込まれているが、本実施形態の表示パネルユニット５００では、制御基板２２０はパネル本体２１０には重ねられておらず、パネル本体２１０から延びた状態で筐体内に収容される。
【００６９】
図１０は、本実施形態の表示パネルユニット５００の裏面を示す図である。
【００７０】
本実施形態の表示パネルユニット５００では、ＬＥＤ光源２０１が発熱して熱がたまる線状領域Ｐに、裏面カバー６００（図１１参照）に熱を伝えるゴム製の熱伝達板５１０が貼り付けられている。
【００７１】
図１１は、表示パネルユニット５００の裏面を覆う裏面カバー６００を示す図である。
【００７２】
本実施形態の裏面カバー６００は、図３（Ｃ）に示す第１実施形態の裏面カバー３００と同じ形状を有しているが、本実施形態の裏面カバー６００は、熱伝導率が相互に異なる２種類の材料で構成されている。本実施形態においては、熱伝導率が高い金属で構成された金属領域６１０と、熱伝導率が相対的に低いプラスチックで構成されたプラスチック領域６２０とがハイブリッド成形されており、それらの領域の境界が裏面カバー６００の下方向に凸になるように形成されている。
【００７３】
図１２は、裏面カバー６００に表示パネルユニット５００が収容されるときの位置関係を示す図である。
【００７４】
図１２に示すように、ＬＥＤ光源２０１によって発熱する線状領域Ｐに配置された伝熱板５１０は、裏面カバー６００の金属領域６１０とプラスチック領域６２０との境界付近に接触しており、線状領域Ｐの中央部分Ｐ´は金属領域６１０と多く接触し、端部分はプラスチック領域６２０に多く接触している。線状領域Ｐで発生した熱は電熱板５１０によって裏面カバー６００に伝達され、裏面カバー６００によって放熱される
。このとき、熱がたまりやすい中央部分Ｐ´は熱伝導率が良好な金属領域６１０との接触で効率よく熱が伝えられ放熱され、熱がたまりにくい端部分は熱伝導率が低いプラスチック領域６２０との接触で低い効率で熱が伝えられ放熱されるため、線状領域Ｐの温度の偏りが軽減され、装置の寿命を向上させることができる。
【００７５】
以上で、本発明の第２実施形態の説明を終了し、本発明の第３実施形態について説明する。本発明の第３実施形態は、表示パネルユニットに取り付けられる熱伝導板の形状と裏面カバーの構造が第２実施形態とは異なるが、それ以外はほぼ同様の構成を有しているため、同じ要素には同じ符合を付して説明を省略し、第２実施形態との相違点についてのみ説明する。
【００７６】
本実施形態の表示装置では、図１２に示す第２実施形態の裏面カバー６００と同様の形状を有するが、表示パネルユニットの縁を覆う部分を除いてほぼ全面に渡って金属で構成された裏面カバーが適用されている。
【００７７】
図１３は、本実施形態の表示パネルユニット７００の後面を示す図である。
【００７８】
本実施形態の表示パネルユニット７００は、図１０に示す第２実施形態の表示パネルユニット５００と同様に、パネル本体２１０、制御基板２２０、および熱伝導板５１０´が備えられているが、熱伝導板５１０´の形状が第２実施形態の熱伝導板５１０とは異なる。本実施形態の熱伝導板５１０´は、ＬＥＤ光源によって発熱される線状領域Ｐの中央部分Ｐ´ほど幅広で、端部分ほど狭い形状を有しており、熱伝導板５１０´全体が裏面カバー６００の金属面と接触している。
【００７９】
線状領域Ｐで発生した熱は、熱伝導板５１０によって、中央部分Ｐ´ほど多く裏面カバー６００に伝達され、裏面カバー６００によって放熱される。このように、熱伝導板の形状を、熱がたまりやすい線状領域Ｐの中央部分ほど幅広に形成することによっても、線状領域Ｐの温度のばらつきを抑えることができる。
【００８０】
ここで、上記では、本発明をパーソナルコンピュータに適用する例について説明したが、本発明は、例えば、液晶テレビや携帯電話端末などに適用されてもよい。
【００８１】
また、上記では、熱伝導板を線状領域の中央部分ほど幅広に形成することによって、線状領域の温度の偏りを抑える例について説明したが、線状領域全域に渡って均一な幅を有する熱伝導板を適用し、その熱伝導板の両端に熱の伝導を妨げる樹脂などを塗布することによって、線状領域の温度の偏りを抑えても良い。
【００８２】
以下、本発明の各種形態について付記する。
【００８３】
（付記１）
情報が表示される表示面と、該表示面を後側から照らすための光を発する光源が内蔵されて発光に伴い線状に発熱する発光部とを有するディスプレイパネルユニットと、
前記ディスプレイパネルユニットの発光部から発せられた熱が伝えられてその熱を放熱する放熱体と、
前記発光部が発する熱を前記放熱体に伝達する、該発光部における線状の発熱箇所の央部と端部とでは央部の方が熱の伝達性が良好な伝熱部とを備えたことを特徴とする表示装置。
【００８４】
（付記２）
前記放熱体が、この表示装置の筐体を兼ねたものであることを特徴とする付記１記載の表示装置。
【００８５】
（付記３）
前記光源が発光ダイオードであることを特徴とする付記１記載の表示装置。
【００８６】
（付記４）
前記放熱体が、第１の材料からなる第１の領域と、熱伝導率が該第１の材料よりも良好な第２の材料からなる第２の領域とを有し、それら第１の領域と第２の領域との境界線が第１の領域側に凸となったものであり、
前記伝熱部が、前記発光部における線状の発熱箇所に沿って延びて該発光部に接触した部材であって、前記放熱体に、前記境界線が前記第１の領域側に凸となっている部分で、その部材の央部と端部とでは央部の方が前記第２の領域により多く接するように接触したものであることを特徴とする付記１記載の表示装置。
【００８７】
（付記５）
前記伝熱部が、前記発光部における線状の発熱箇所に沿って延びて該発光部と前記放熱体との双方に接触した、その延びた端に向かうにつれて順次に細くなった部材であることを特徴とする付記１記載の表示装置。
【００８８】
（付記６）
情報が表示される表示面と、該表示面を裏側から照らすための光を発する光源が内蔵されて発光に伴い線状に発熱する発光部とを有するパネル本体と、
前記パネル本体の発光部から発せられた熱が伝えられてその熱を放熱する、該発光部における線状の発熱箇所に沿って延びた、その延びた端と中央とでは中央の方が放熱面積が広い放熱板とを備えたことを特徴とするディスプレイパネルユニット。
【００８９】
（付記７）
前記放熱板が、中央から端に向かうにつれて順次に幅が狭まったものであることを特徴とする付記６記載のディスプレイパネルユニット。
【００９０】
（付記８）
前記光源が発光ダイオードであることを特徴とする付記６記載のディスプレイパネルユニット。
【００９１】
（付記９）
情報が表示される表示面と、該表示面を後側から照らすための光を発する光源が内蔵されて発光に伴い線状に発熱する発光部とを有するディスプレイパネルユニットと、
前記ディスプレイパネルユニットの発光部から発せられた熱が伝えられてその熱を放熱する放熱体と、
前記発光部が発する熱を前記放熱体に伝達する、該発光部における線状の発熱箇所の央部と端部とでは央部の方が熱の伝達性が良好な伝熱部とを備えた表示部；および
情報処理を行い、処理した情報を、前記表示部が備えたディスプレイパネルユニットの表示面に表示させる処理部を備えたことを特徴とする情報処理装置。
【００９２】
（付記１０）
前記放熱体が、この情報処理装置の筐体を兼ねたものであることを特徴とする付記９記載の情報処理装置。
【００９３】
（付記１１）
前記光源が発光ダイオードであることを特徴とする付記９記載の情報処理装置。
【００９４】
（付記１２）
前記放熱体が、第１の材料からなる第１の領域と、熱伝導率が該第１の材料よりも良好な第２の材料からなる第２の領域とを有し、それら第１の領域と第２の領域との境界線が第１の領域側に凸となったものであり、
前記伝熱部が、前記発光部における線状の発熱箇所に沿って延びて該発光部に接触した部材であって、前記放熱体に、前記境界線が前記第１の領域側に凸となっている部分で、その部材の央部と端部とでは央部の方が前記第２の領域により多く接するように接触したものであることを特徴とする付記９記載の情報処理装置。
【００９５】
（付記１３）
前記伝熱部が、前記発光部における線状の発熱箇所に沿って延びて該発光部と前記放熱体との双方に接触した、その延びた端に向かうにつれて順次に細くなった部材であることを特徴とする付記９記載の情報処理装置。
【００９６】
（付記１４）
情報が表示される表示面と、該表示面を裏側から照らすための光を発する光源が内蔵されて発光に伴い線状に発熱する発光部とを有するパネル本体と、前記パネル本体の発光部から発せられた熱が伝えられてその熱を放熱する、該発光部における線状の発熱箇所に沿って延びた、その延びた端と中央とでは中央の方が放熱面積が広い放熱板とを備えたディスプレイパネルユニットを内蔵した表示部；および
情報処理を行い、処理した情報を、前記表示部が内蔵したディスプレイパネルユニットの表示面に表示させる処理部を備えたことを特徴とする情報処理装置。
【００９７】
（付記１５）
前記放熱板が、中央から端に向かうにつれて順次に幅が狭まったものであることを特徴とする付記１４記載の情報処理装置。
【００９８】
（付記１６）
前記光源が発光ダイオードであることを特徴とする付記１４記載の情報処理装置。
【図面の簡単な説明】
【００９９】
【図１】本発明の一実施形態が適用されたパーソナルコンピュータの外観斜視図である。
【図２】パーソナルコンピュータのハードウエア構成図である。
【図３（Ａ）】表面カバーの表側を示す図である。
【図３（Ｂ）】表示パネルユニットの表側を示す図である。
【図３（Ｃ）】裏面カバーの表側を示す図である。
【図４（Ａ）】表面カバーの裏側を示す図である。
【図４（Ｂ）】表示パネルユニットの裏側を示す図である。
【図４（Ｃ）】裏面カバーの裏側を示す図である。
【図５】表示パネルユニットとアンテナが配置された表面カバー内の状態を示す図である。
【図６】制御基板を取り外した表示パネルユニットを示す図である。
【図７】表示装置を放熱板が延びる方向に沿って切断したときの断面図である。
【図８】従来の表示装置を放熱板が延びる方向に沿って切断したときの断面図である。
【図９】本発明の第２実施形態の表示パネルユニットの表面を示す図である。
【図１０】本発明の第２実施形態の表示パネルユニットの裏面を示す図である。
【図１１】表示パネルユニットの裏面を覆う裏面カバーを示す図である。
【図１２】裏面カバーに表示パネルユニットが収容されるときの位置関係を示す図である。
【図１３】本発明の第３実施形態の表示パネルユニットの後面を示す図である。
【符号の説明】
【０１００】
１０    パーソナルコンピュータ
１１    本体装置
１２    表示装置
１２Ｂ    表示面
１３    キーボード
１４    マウス
２１    ＣＰＵ
２２    主メモリ
２３    ハードディスク装置
２４    ＦＤドライブ
２５    ＣＤ−ＲＯＭドライブ
２６    入力インタフェース
２７    出力インタフェース
１００    表面カバー
２００    表示パネルユニット
３００    裏面カバー
【図１】
2008152109.tif 000003
【図２】
2008152109.tif 000004
【図３（Ａ）】
2008152109.tif 000005
【図３（Ｂ）】
2008152109.tif 000006
【図３（Ｃ）】
2008152109.tif 000007
【図４（Ａ）】
2008152109.tif 000008
【図４（Ｂ）】
2008152109.tif 000009
【図４（Ｃ）】
2008152109.tif 000010
【図５】
2008152109.tif 000011
【図６】
2008152109.tif 000012
【図７】
2008152109.tif 000013
【図８】
2008152109.tif 000014
【図９】
2008152109.tif 000015
【図１０】
2008152109.tif 000016
【図１１】
2008152109.tif 000017
【図１２】
2008152109.tif 000018
【図１３】
2008152109.tif 000019